(57)【要約】【課題】本発明は、所定以上の横荷重が加わったとしてもスリーブが必要以上に半径方向に拡張せず、それにより光損失を抑えた光レセプタクルを提供することを目的とする。【解決手段】光ファイバを有するファイバスタブ１０と、一端から他端に貫通する貫通孔を有し、その他端側から前記ファイバスタブの先端部が挿入されるスリーブ２０と、ファイバスタブ１０の後端部を保持するためのホルダ４０と、を備え、スリーブ２０は、スリーブの他端側には一端側に比し肉厚の厚い肉厚部が形成されるとともに、一端から他端に向かって延びるスリット２２が形成され、かつ他方の端部はスリーブ２０の他端から離間して前記肉厚部の形成領域内に位置することを特徴とする光レセプタクルとする。【選択図】図１
2008058936.tif 000002
【特許請求の範囲】
【請求項１】
光ファイバを有するファイバスタブと、
一端から他端に貫通する貫通孔を有し、その他端側から前記ファイバスタブの先端部が挿入されるスリーブと、
前記ファイバスタブの後端部を保持するためのホルダと、を備え、
前記スリーブは、前記スリーブの他端側には一端側に比し肉厚の厚い肉厚部が形成されるとともに、一端から他端に向かって延びるスリットが形成され、
該スリットの一方の端部は、前記スリーブの一端で開口し、かつ他方の端部は前記スリーブの他端から離間して前記肉厚部の形成領域内に位置することを特徴とする光レセプタクル。
【請求項２】
前記スリットの他方の端部におけるスリット幅は、他の部分に比較して大きくなっていることを特徴とする請求項１記載の光レセプタクル。
【請求項３】
前記スリットの他方の端部が曲面形状であることを特徴とする請求項１又は２に記載の光レセプタクル。
【請求項４】
前記スリーブの肉厚部と前記スリーブの他の部分との連結部が曲面であることを特徴とする請求項１〜３のいずれかに記載の光レセプタクル。
【請求項５】
前記ファイバスタブの先端部は、前記スリットが設けられている部位まで挿入されていることを特徴とする請求項１〜４のいずれかに記載の光レセプタクル。
【請求項６】
前記スリーブの肉厚部は、前記スリーブの他端に位置する第１肉厚部と該第１肉厚部よりも厚みが薄い第２肉厚部とから構成されていることを特徴とする請求項１〜５のいずれかに記載の光レセプタクル。
【請求項７】
前記スリットの他方の端部は前記第２肉厚部の形成領域内に位置することを特徴とする請求項６に記載の光レセプタクル。
【請求項８】
前記スリーブの肉厚部は、前記スリーブの他端側から一端側に向かって段階的に肉厚が薄くなることを特徴とする請求項１〜５のいずれかに記載の光レセプタクル。
【請求項９】
請求項１乃至８のいずれかに記載の光レセプタクルと、
前記ファイバスタブの光ファイバに向けて光を出射する、又は、前記ファイバスタブの光ファイバを介して光を受けるための光素子と、
前記光レセプタクルに接続され、かつ前記光素子を収容する筐体と、
を備える光モジュール。
【発明の詳細な説明】
【技術分野】
【０００１】
本発明は、光レセプタクル及び光モジュールに関し、特に光通信用の光レセプタクル及び光モジュールに関する。
【背景技術】
【０００２】
光信号を例えば電気信号に変換するための光モジュールは、半導体レーザやフォトダイオードなどの光素子と、当該光素子から出射された光信号を伝送する光ファイバとを備え、光素子を光ファイバの端面に対向配置して光信号を光ファイバの端面に入射（あるいは該端面から出射）することにより、光ファイバを介して該光信号を導入あるいは導出するように構成されている。
【０００３】
このような光モジュールに搭載される光レセプタクルとして、一端中央に光孔を有する円筒状のホルダと、金属により円筒状に成形されると共にその軸線方向に沿ってスリットが形成されて半径方向に弾性的に拡縮可能であって、その外周面が前記ホルダの内周面に固定されてなる割スリーブと、を有する光レセプタクルが開示されている（特許文献１参照）。このような光レセプタクルでは、割スリーブのスプリングバック作用によりフェルールとの間の隙間をゼロにすることができ、フェルールを繰返し挿抜しても高いアライメント再現性と伝送出力の安定化を実現できるとされている。
【特許文献１】特開２０００−０６６０６６号公報
【発明の開示】
【発明が解決しようとする課題】
【０００４】
しかしながら、従来構造の光レセプタクルは、一端から他端まで延在するスリットを有する割スリーブを用いていたため、当該スリーブに挿入されたプラグ等に所定以上の強い横荷重を加えると容易にスリーブが半径方向に拡張され、スリーブに挿入されたプラグフェルールとスタブフェルールの光軸がずれ、光の損失が増大するという問題、即ち、ウイグル特性が低下するという問題を有していた。しかも、所定以上の強い力の横荷重が加わると、拡張し変形したままもとの状態に戻らず、高精度が要求される最近のレセプタクルにおいてこのように半径方向に拡張し変形したままの状態は好ましくない。そこで、本発明は、所定以上の横荷重が加わったとしても不要に半径方向に拡張せず、それにより接続損失を抑えた光レセプタクルを提供することを目的とする。
【課題を解決するための手段】
【０００５】
本発明者らは、叙上の課題に鑑み鋭意研究を行った結果、光ファイバを有するファイバスタブと、一端側から前記ファイバスタブの先端部が挿入され、他端側からプラグの少なくとも一部が挿入される筒状のスリーブと、を備える光レセプタクルにおいて、スリーブに設けられたスリットの長さを調整し、円筒状のスリーブの少なくとも一部が繋がった状態となるようにスリーブにスリットを設けることにより、スリーブに挿入されたプラグに横荷重を加えたとしても必要以上に半径方向に拡張せず、光損失が抑えられることを見出し、本発明を完成するに至った。
【０００６】
したがって、本発明は、光ファイバを有するファイバスタブと、一端から他端に貫通する貫通孔を有し、その他端側から前記ファイバスタブの先端部が挿入される筒状のスリーブと、前記ファイバスタブの後端部を保持するためのホルダと、を備え、前記スリーブは、前記スリーブの他端側には一端側に比し肉厚の厚い肉厚部が形成されるとともに、一端から他端に向かって延びるスリットが形成され、当該スリットの一方の端部は、前記スリーブの一端で開口し、かつ他方の端部は前記スリーブの他端から離間して前記肉厚部の形成領域内に位置することを特徴とする光レセプタクルにある。
【０００７】
さらに、本発明に係る光レセプタクルにおいて、前記スリットの他方の端部におけるスリット幅は、他方の端部以外のスリット幅より大きくなっていることを特徴とする。
【０００８】
さらに、本発明に係る光レセプタクルにおいては、前記スリットの他方の端部の形状を曲面形状とすることが好ましい。
【０００９】
また、本発明に係る光レセプタクルにおいては、前記スリーブの肉厚部と前記スリーブの他の部分（すなわち、肉薄部）との連結部を曲面とすることが好ましい。
【００１０】
さらに、本発明に係る光レセプタクルにおいて、前記ファイバスタブの先端部は、前記スリットが設けられている部位まで挿入されていることが好ましい。
【００１１】
また、本発明に係る光レセプタクルにおいて、前記スリーブの肉厚部は、前記スリーブの他端に位置する第１肉厚部と該第１肉厚部よりも厚みが薄い第２肉厚部とから構成されていることが好ましい。さらに、本発明に係る光レセプタクルにおいて、前記スリットの他方の端部は前記第２肉厚部の形成領域内に位置することが好ましい。
【００１２】
また、本発明に係る光レセプタクルにおいて、前記スリーブの肉厚部は、前記スリーブの他端側から一端側に向かって段階的に肉厚が薄くなるようにすることが好ましい。
【００１３】
また、本発明の光モジュールは、上述の光レセプタクルと、前記スタブの光ファイバに向けて光を出射する、又は、前記スタブの光ファイバを介して光を受ける光素子と、前記光レセプタクルに接続され、かつ前記光素子を収容する筐体と、を備えている。
【発明の効果】
【００１４】
本発明に係る光レセプタクル及びこれを用いた光モジュールによれば、これらに組み込まれたスリーブに、プラグ挿入部側からスリットが延在し、当該スリットの一方の端部が開口端を有し、そのもう一方の端部が閉じられ前記肉厚部の形成領域内にあるため、スリーブの肉厚部の少なくとも一部が連接されたままの状態である。そのため、プラグとファイバスタブがスリーブに挿入された状態で、プラグに必要以上の横荷重を加えたとしても、スリーブの半径外方向への拡張が制限され、プラグとファイバスタブの光軸のずれを抑えることができる。
【００１５】
さらに、本発明に係る光レセプタクルにおいては、スリットの他方の端部におけるスリット幅を他方の端部以外の部分のスリット幅より大きくすれば、スリットの他方の端部における応力集中を緩和することができる。
【００１６】
さらに、本発明に係る光レセプタクルにおいて、スリットの他方の端部の形状を曲面形状とすることにより、上記同様、スリットの他方の端部における応力集中を緩和することができる。
【００１７】
また、本発明に係る光レセプタクルにおいて、スリーブの肉厚部とスリーブの他の部分（すなわち、肉薄部）との連結部を曲面とすることにより、当該連結部の応力集中を緩和することができる。
【００１８】
さらに、本発明に係る光レセプタクルにおいて、ファイバスタブの先端部が、スリットが設けられている部位まで挿入されていることにより、プラグをスリーブに挿入した場合における、スリーブの半径外方向への拡張を抑えることができる。
【００１９】
また、本発明に係る光レセプタクルにおいて、スリーブの肉厚部を、スリーブの他端に位置する第１肉厚部と該第１肉厚部よりも厚みが薄い第２肉厚部とで構成することにより、スリーブの一端側からプラグが挿入されても、スリットの変形（拡張）度合いをスリーブの一端側と第１肉厚部で急激に変化するのを抑制することができるため、スリットの他方の端部における応力集中を効率よく緩和することができる。
【００２０】
さらに、本発明に係る光レセプタクルにおいては、スリットの他方の端部を第２肉厚部の形成領域内に位置させれば、剛性の高い第１肉厚部で強固にファイバスタブを保持しつつ、スリーブに対するプラグの挿入を容易に行うことができるため、プラグとファイバスタブとの接続損失を低減し、かつコネクタ接続を容易に行うことができる。
【００２１】
また、本発明に係る光レセプタクルにおいては、スリーブの肉厚部をスリーブの他端側から一端側に向かって段階的に肉厚が薄くなるように形成することにより、スリーブの一端側からプラグが挿入されても、スリーブの一端部から他端部に向かって、スリットの変形（拡張）度合いを段階的に小さくすることができるため、スリットの他方の端部における応力集中をより緩和することができる。
【発明を実施するための最良の形態】
【００２２】
以下、図面を参照しながら、本発明に係る光レセプタクル及びこれを用いた光モジュールの好ましい実施形態を詳細に説明する。
【００２３】
図１は、本発明に係る実施形態の光レセプタクル１の断面図である。光レセプタクルとは、光コネクタ（ＳＣコネクタ等）の光ファイバを有するプラグに接続されるものである。本実施形態の光レセプタクル１は、光ファイバ及びその光ファイバを貫通孔により保持するスタブフェルールを備えるファイバスタブ１０と、ファイバスタブ１０の少なくとも一部が挿入されるスリーブ２０と、内周面がスリーブ２０の外周面に近接しこのスリーブ２０を収容するスリーブケース３０と、ファイバスタブ１０のスリーブ２０に挿入されていない部分を保持し、かつファイバスタブ１０の一部がスリーブ２０に挿入されさらに当該スリーブ２０がスリーブケース３０に挿入された状態でスリーブケース３０が嵌合されたホルダ４０とを具備する。なお、プラグ（不図示）は、スリーブ２０の軸心方向に伸びる貫通孔２１に挿入される。
【００２４】
スリーブ２０は、ファイバスタブ１０及びプラグ（不図示）が挿入される貫通孔２１を有し、ファイバスタブ１０の光ファイバの光軸と、プラグの光ファイバの光軸とを一致させる機能を担う部材である。このスリーブ２０の貫通孔２１には、端面２１ａ側からファイバスタブ１０が挿入され、端面２１ｂ側からプラグが挿入される。
【００２５】
図２は、本発明に係る光レセプタクルに使用されるスリーブ２０の概略斜視図である。当該スリーブ２０には、図２に示すように、スリット２２がスリーブ２０の一端２２ａからその長手方向に延び、スリットのもう一方の閉じられた端部２２ｂが肉厚部の形成領域内にある。そのため、スリーブ２０は、スリーブ２０の端面２１ａ側が繋がった状態となっており、連接部分２３が形成されている。このような構成とすることにより、i)端面２１ｂの側には、スリーブにプラグを挿入する際における最低限の拡がりを確保することができ、ii)プラグに横荷重が掛かったときには肉厚部における上記連接部分２３により大きく拡がることがないようにできる。
【００２６】
スリーブ２０の貫通孔２１にファイバスタブ１０及びプラグが挿入された状態で、プラグに横荷重が加えられると、スリーブ２０がその半径外方向に押し広げられる。すなわち、プラグとスリーブの端面２１ｂとの接触点を支点として、プラグがスリーブ２０の軸に対して傾きプラグの先端がスリーブ２０の内壁に対して上記支点と反対方向の力を作用させる。ここで、一端から他端へ完全に繋がったスリットを有する従来型の割スリーブを用いた光レセプタクルにおいては、上述のようにプラグに横荷重が加えられスリーブを押し広げる方向に力が加えられるとスリットが拡がる。プラグは上記接触点を支点としてスリーブの軸に対してさらに傾き、ファイバスタブ１０とプラグの光軸が大きくずれる。これによりファイバスタブ１０若しくはプラグの一方から他方へ伝送される光の光量が減少することとなる（ウイグル特性の低下）。
【００２７】
しかしながら、スリーブ２０の他端部の少なくとも一部が繋がった状態でスリット２２をスリーブ２０の長手方向に設けた光ファイバスタブ１０では、上述のようにプラグに横荷重を加えたときに、プラグとスリーブ開口端との接触点を支点として、プラグの先端がスリーブを押し広げる方向に力が加えられるが、剛性の高いスリーブ２０の肉厚部において、少なくとも一部（連接部分２３）が繋がっているため、連接部分２３によりスリーブの半径方向への拡張が抑えられそれにより伝送される光の光量の減少を抑えることができる。当該スリット２２は、スリーブ２０の軸方向に対してほぼ平行にスリーブの一部に設けることが好ましいが、スリーブの軸方向に対して斜めに、又はスリーブに螺旋状に設けてもよい。本発明においては、連接部分２３を肉厚部に設けることが好ましい。これは、横荷重によりスリーブがその半径方向に拡張される時、より強い横荷重に耐えることができるためである。
【００２８】
また、図３に示すように、スリット２２の閉じられた端部２２ｂにおけるスリット幅ａ１を当該閉じられた端部２２ｂ以外の部分のスリット幅ａ２より大きくすることが好ましい。このようにスリット２２の閉じられた端部２２ｂにおけるスリット幅ａ１を当該閉じられた端部以外の部分のスリット幅ａ２より大きくすることにより、スリット２２の閉じられた端部２２ｂにおける応力集中を緩和することができる。さらに、スリット２２の閉じられた端部２２ｂにおける角部を曲面形状とすれば、応力集中の緩和効果をより向上させることができる。
【００２９】
スリット２２の閉じられた端部２２ｂ以外の部分のスリット幅ａ２は、ＬＣ用レセプタクルの場合、０．１ｍｍ〜０．３ｍｍであることが好ましく、０．１５ｍｍ〜０．２５ｍｍであることが更に好ましい。また、スリットの閉じられた端部２２ｂのスリット幅ａ１は、０．４ｍｍ〜０．６ｍｍであることが好ましく、０．４５ｍｍ〜０．５５ｍｍであることが更に好ましい。ＳＣ用レセプタクルの場合、０．４ｍｍ〜０．６ｍｍであることが好ましく、０．４５ｍｍ〜０．５５ｍｍであることが更に好ましい。また、スリットの閉じられた端部２２ｂのスリット幅ａ１は、０．７ｍｍ〜０．９ｍｍであることが好ましく、０．７５ｍｍ〜０．８５ｍｍであることが更に好ましい。
【００３０】
また、図４に示すように、スリットの閉じられた端部２２ｂの形状を曲面形状とすることが好ましい。このように、スリットの閉じられた端部２２ｂの形状を曲面形状とすることにより、上記同様当該端部２２ｂにおける応力集中を緩和することができる。なお、当該曲面形状は円形でもあってもよいし楕円形であってもよい。当該端部２２ｂの曲面形状が円形である場合、当該曲面形状の曲率半径Ｒ１は、ＬＣ用レセプタクルの場合、０．０５ｍｍ〜０．１５ｍｍであることが好ましく、０．０７５ｍｍ〜０．１２５ｍｍであることがさらに好ましい。ＳＣ用レセプタクルの場合、０．２ｍｍ〜０．３ｍｍであることが好ましく、０．２２５ｍｍ〜０．２７５ｍｍであることがさらに好ましい。このような範囲の曲率半径を有する場合、横荷重を加えた時の応力集中を効果的に緩和することができる。
【００３１】
さらに、図５に示すように、スリーブ２０の肉厚部とスリーブ２０の他の部分（即ち肉薄部）との連結部２４を曲面とすることが好ましい。このように、当該連結部２４を曲面とすることにより、スリーブの肉薄部と肉厚部との連結部２４における応力集中を緩和することができる。この連結部２４の曲面の曲率半径Ｒ２は、ＬＣ用レセプタクルとＳＣ用レセプタクルの両方の場合において、０．０５ｍｍ〜０．３ｍｍであることが好ましく、０．１ｍｍ〜０．２ｍｍであることがさらに好ましい。このような範囲の曲率半径を有する場合、当該連結部２４における応力集中を効果的に緩和することができる。
【００３２】
また、ファイバスタブ１０の先端部は、スリット２２が設けられている部位まで挿入されていることが好ましい。このように、ファイバスタブ１０の先端部を、スリット２２が設けられている部位まで挿入することにより、プラグをスリーブ２０に挿入した場合における、スリーブ２０の半径外方向への過度の拡張を抑えることができる。
【００３３】
また、スリーブ２０は、図６に示すように、スリーブ２０の肉厚部をスリーブ２０の他端に位置する第１肉厚部２５と該第１肉厚部２５よりも厚みが薄い第２肉厚部２６とから構成されていることが好ましい。このように、スリーブ２０の肉厚部を第１肉厚部２５と第２肉厚部２６とから形成することにより、スリーブ２０の端面２１ｂ側（一端側）からプラグが挿入されても、第２肉厚部２６によって、スリット２２の変形（拡張）度合いをスリーブの一端側（端面２１ｂから第２肉厚部２６までの領域）と第１肉厚部２５で急激に変化するのを抑制することができるため、スリット２２の閉じられた端部２２ｂにおける応力集中を効率よく緩和することができる。
【００３４】
このとき、上述したスリーブ２０では、図７に示すように、スリット２２の閉じられた端部２２ｂを第２肉厚部２６の形成領域内に位置するようにすれば、第２肉厚部２６に比べて剛性の高い第１肉厚部２５で強固にファイバスタブを保持しつつ、スリーブ２０に対するプラグの挿入性を高めることができるため、プラグとファイバスタブとの接続損失を低減し、かつコネクタ接続を容易に行うことができる。
【００３５】
なお、上述したスリーブ２０では、１つの肉厚部、または厚みが異なる２つの肉厚部を形成した例を示したが、本発明ではこのような形態に限定されることなく、たとえば図８に示すように、スリーブ２０の肉厚部の厚みを第１肉厚部２５＞第２肉厚部２６＞第３肉厚部２７のように、スリーブの肉厚部をスリーブの他端側から一端側に向かって段階的に肉厚が薄くなるように形成することにより、スリーブ２０の一端側からプラグが挿入されても、スリーブ２０の一端部から他端部に向かって、スリット２２の変形（拡張）度合いを段階的に小さくすることができるため、スリット２２の閉じられた端部２２ｂにおける応力集中をより緩和することができる。また、本発明では、さらに多数の階段状の肉厚部を設け、スリット２２の急激な拡張を抑制するような構成であってもよい。
【００３６】
スリーブ２０を構成する材料としては、酸化ジルコニウム（ジルコニア）、酸化アルミニウム（アルミナ）、ムライト、窒化ケイ素、炭化ケイ素及び窒化アルミニウムなどの単体、もしくはこれらを主成分として含むセラミックス、結晶化ガラスなどのガラスセラミックス、燐青銅、ベリリウム銅、黄銅、ステンレスなどの金属、エポキシや液晶ポリマなどのプラスチックスなどが挙げられ、なかでも耐候性や靭性に優れたジルコニア系セラミックス（ジルコニアを主成分とするセラミックス）が好適である。ジルコニア系セラミックスの中でも、とりわけ、酸化ジルコニウム（ＺｒＯ２）を主成分とし、Ｙ２Ｏ３、ＣａＯ、ＭｇＯ、ＣｅＯ２、Ｄｙ２Ｏ３などからなる群より選択される少なくとも一種を安定化剤として含む部分安定化ジルコニアセラミックス（正方晶の結晶が主体）が耐摩耗性及び弾性変形性の観点からより好ましい材料として挙げられる。
【００３７】
スリーブ２０は、たとえば以下に示すような方法で作製することができる。たとえば、アルミナやジルコニアなどのセラミックス材料でスリーブ２０を作製する場合は、セラミック粉体およびバインダーを混練してなる混合物を射出成形、プレス成形、押出成形等の成形法によって円筒状の成形体を作製した後、該成形体を１３００〜１７００℃で焼成して円筒状の焼結体を得た後に、切削加工または研磨加工を施して肉厚部を形成するとともに、たとえばダイシングによってスリット２２を所望の位置まで形成することによって作製できる。なお、スリーブ２０は、成形体に切削加工等によって予め所定の形状を形成しておき、その後焼成を行って作製してもよい。また、金属材料でスリーブ２０を形成する場合は、円筒状の金属体に切削加工または研磨加工を施して形成することができる。
【００３８】
ファイバスタブ１０は、ファイバスタブ用のフェルール１１及び光ファイバ１２を有し、筒状のフェルール１１の軸心方向に延びる貫通孔に光ファイバ１２を挿入し、かつ、例えば接着剤により接着固定することにより構成されている。このファイバスタブ１０の光ファイバ１２とプラグの光ファイバとが光学的に接続されている。ここで、ファイバスタブ１０の先端面１０ａは、アール面（例えば曲率半径が５〜３０ｍｍ）であることが好ましく、このようにアール面とすることにより、プラグと接続した際に、接続損失を低減することができる。
【００３９】
また、ファイバスタブ１０の後端面１０ｂは、ファイバスタブ１０の軸に対して所定の角度（例えば４〜１０°）で傾斜する傾斜面とすることが好ましく、このような傾斜面とすることで、例えば光素子（ＬＥＤやＬＤなど）から出射された光が光ファイバ１２の端面で反射し、その反射光が光素子に戻るのを防ぐことができる。
【００４０】
フェルール１１を構成する材料としては、上述したスリーブ２０を構成する材料として挙げたものと同様のものが挙げられる。
【００４１】
光ファイバ１２は、光を伝播させるためのものである。光ファイバ１２としては、石英系光ファイバ、プラスティック系光ファイバ及び多成分ガラス系光ファイバなどが挙げられる。
【００４２】
スリーブケース３０は、スリーブ２０を収容するための略円筒形状の筒状部材であり、プラグが挿入される開口部３０ａと、ホルダ４０に接合するための接合部３０ｂとを有する。スリーブケース３０におけるスリーブ２０を収容するための空間の径は、スリーブ２０の外径より若干（例えば６０μｍ）大きく構成されている。また、開口部３０ａは、プラグの挿入時に該プラグを案内するための部位であり、テーパ状に構成されている。開口部３０ａにおける開口端径はプラグの外径より若干（例えば０．２ｍｍ）大きく構成されている。接合部３０ｂは、上述したように、ホルダ４０に接合するための部位である。
【００４３】
スリーブケース３０を構成する材料としては、合成樹脂（熱可塑性樹脂および熱硬化性樹脂など）、金属（ステンレス、銅、鉄およびニッケルなど）、セラミックス（酸化アルミニウム（アルミナ）および酸化ジルコニウム（ジルコニア）など）、ガラス（石英など）などが挙げられる。この中でもホルダ４０との固定を考慮し、熱膨張係数を合わせて信頼性を高めるため、ホルダ４０と同様、ステンレスを用いるのが好ましい。
【００４４】
ホルダ４０は、スタブ保持部４２とスリーブケース保持部４１からなっており、スタブ保持部４２は、ファイバスタブ１０の後端部が圧入される挿入孔４２ａを有し、スリーブケース保持部４１は、挿入孔４２ａより大きい径を有しスリーブケース３０が挿入される挿入孔４１ａを有している。ここで、挿入孔４２ａと挿入孔４１ａは同軸で連通して貫通孔４０ａを構成し、挿入孔４２ａと挿入孔４１ａの境界には段差が形成される。
【００４５】
以上のように構成されたスタブ保持部４２の挿入孔４２ａに、ファイバスタブ１０の後端部が圧入され、スリーブケース３０及びスリーブ２０のファイバスタブ１０を覆っている部分が挿入孔４１ａに挿入される。尚、スリーブケース３０の後端部は、その端面が挿入孔４２ａと挿入孔４１ａの境界にある段差に当接するように挿入される。
【００４６】
このようにして、ファイバスタブ１０が、ホルダ４０のスタブ保持部４２によって保持され、スリーブケース３０がスリーブケース保持部４１によって保持され、光モジュールを構成する際、ホルダ４０に光素子を含むサブモジュールが接続される。
【００４７】
スタブ保持部４２におけるファイバスタブ１０との圧接面（挿入孔４２ａの内周面）の算術平均粗さは、ファイバスタブ１０を安定して保持するために、０．１μｍ以上に設定するのが好適である。また、本実施の形態では、ホルダ４２の後端面にザグリ部を設けてそのザグリ部の底面（ザグリ面）にアイソレータ１０ｂ及び磁石を固定している。ザグリ面の外径は、磁石の外径よりもわずかに大きく（０．０２〜０．８ｍｍ）、ザグリ深さは０．１〜２ｍｍ程度である。ホルダ４０を構成する材料としては、ステンレス、銅、鉄およびニッケルなどが挙げられ、中でも、ＹＡＧ溶接性に優れているＳＵＳ３０４やＳＦ２０Ｔ等のステンレス材料が好適である。
【００４８】
図９は、本発明に係る光レセプタクル１を備えた光モジュール２の断面図である。この光モジュール２は、光レセプタクル１および光素子ユニット６０を備えている。光素子ユニット６０は、光素子６１と、レンズ６２と、筐体６３とを備える。
【００４９】
光素子６１は、ファイバスタブ１０の光ファイバに向けて光を出射するための発光素子、または、ファイバスタブ１０の光ファイバを介して導出された光を受光するための受光素子である。発光素子としては、半導体レーザやＬＥＤなどの発光ダイオードなどが挙げられ、受光素子としては、受信用のＰＤ（フォトダイオード）などが挙げられる。
【００５０】
レンズ６２は、光素子６１が発光素子の場合は該発光素子から出射された光を集光してファイバスタブ１０の光ファイバに導入する機能を担い、光素子６１が受光素子の場合はファイバスタブ１０の光ファイバから出射された光を集光して該受光素子に導入する機能を担う部材である。
【００５１】
筐体６３は、光素子６１およびレンズ６２を収容するための部材であり、接合用リング６４を介して光レセプタクル１に例えば溶接により接合される。筐体６３を構成する材料としては、ステンレス、銅、鉄、ニッケルなどの溶接可能なものが挙げられ、中でも耐腐食性や溶接性の観点からステンレスが好適である。
【００５２】
接合用リング６４は、ホルダ４０と筐体６３を接合するための部材である。接合リング６４を構成する材料としては、ステンレス、銅、鉄、ニッケルなどの溶接可能なものが挙げられ、中でも耐腐食性や溶接性の観点からステンレスが好適である。
【００５３】
また、図９の光モジュール２では、光レセプタクル１と光素子ユニット６０の間、すなわち、ファイバスタブ１０の後端面１０ｂの直後に、逆方向に進行する戻り光を抑制する光アイソレータ８０を設けている。具体的には、光アイソレータ素子８０が光レセプタクル１のファイバスタブ１０の後端面１０ｂに固定され、磁石８１がホルダ４０のザグリ面に接合されることで、光アイソレータ素子８０が磁石８１の貫通孔に配置された構造となっている。これにより、例えば、光素子が発光素子である場合には、ファイバスタブ１０に向けて出射された光が反射されて光源に戻ってくる戻り光を抑制できる。
【００５４】
以上、本発明の具体的な実施形態を示したが、これらは例示するものであって、本発明はこれらに限定されるものではなく、発明の思想から逸脱しない範囲内で種々の変更が可能である。なお、各図において、共通する部分については同一の符号を付し重複した説明を省略している。各構成要素の配置個数、配置位置等は限定的でなく、光レセプタクル及び光モジュールの使用目的、用途、所望の性能等により適宜設定することができる。
【図面の簡単な説明】
【００５５】
【図１】本発明に係る実施形態の光レセプタクルを表す断面図である。
【図２】本発明に係る実施形態の光レセプタクルに用いられるスリーブの斜視図である。
【図３】本発明に係る他の実施形態のスリーブを示した概略図である。
【図４】本発明に係る他の実施形態のスリーブを示した概略図である。
【図５】本発明に係る他の実施形態のスリーブを示した概略図である。
【図６】本発明に係る他の実施形態のスリーブを示した概略図である。
【図７】本発明に係る他の実施形態のスリーブを示した概略図である。
【図８】本発明に係る他の実施形態のスリーブを示した概略図である。
【図９】図１に示す光レセプタクルを採用した光モジュールを表す断面図である。
【符号の説明】
【００５６】
１  光レセプタクル
２  光モジュール
１０  ファイバスタブ
１１  フェルール
１２  光ファイバ
２０  スリーブ
３０  スリーブケース
４０  ホルダ
４１  スリーブケース保持部
４２  スタブ保持部
【図１】
2008058936.tif 000003
【図２】
2008058936.tif 000004
【図３】
2008058936.tif 000005
【図４】
2008058936.tif 000006
【図５】
2008058936.tif 000007
【図６】
2008058936.tif 000008
【図７】
2008058936.tif 000009
【図８】
2008058936.tif 000010
【図９】
2008058936.tif 000011